(57)【要約】【課題】防水性を保ちつつ多層膜の劣化を抑制する。【解決手段】実施形態のヒータは、発光管、多層膜、金属箔、リード線、外部導入線、封止部、被覆チューブ、口金、充填剤を具備する。発光管は、内部に発熱体が設けられる。多層膜は、発光管の外周面に形成される。金属箔は、発熱体およびリード線と電気的に接続される。外部導入線は、リード線と接続された接続部を有する。封止部は、金属箔およびリード線の一部が埋設される。封止部は、リード線が発光管の外部へ引き出される導出部を有する。被覆チューブは、導出部から引き出されたリード線および外部導入線を被覆する。口金は、開口部、収容部、貫通穴を有する。充填剤は、８５質量％以上のアルミナを含有し、口金の開口部および貫通穴を塞ぐように封止部と収容部との間および外部導入線と貫通穴との間に充填される。【選択図】図２
2019057456.tif 000002
【特許請求の範囲】
【請求項１】
内部に発熱体が設けられた発光管と；
前記発光管の外周面に形成された多層膜と；
前記発熱体と電気的に接続された金属箔と；
前記金属箔と電気的に接続されたリード線と；
前記リード線と電気的に接続された接続部を有する外部導入線と；
前記金属箔および前記リード線の一部が埋設され、前記発光管の内部を封止するように前記発光管に形成され、前記リード線が前記発光管の外部へ引き出される導出部を有する封止部と；
前記導出部から引き出された前記リード線および前記外部導入線を被覆する被覆チューブと；
前記封止部が挿入される開口部と、前記封止部を収容する収容部と、前記収容部内から外部へ前記外部導入線を挿通させる貫通穴と、を有する口金と；
前記口金の前記開口部および前記貫通穴を塞ぐように前記封止部と前記収容部との間および前記外部導入線と前記貫通穴との間に充填され、８５質量％以上のアルミナを含有する充填剤と；
を具備する、ヒータ。
【請求項２】
前記外部導入線と前記被覆チューブとの間に設けられた環状部材；
をさらに具備する、請求項１に記載のヒータ。
【請求項３】
前記口金は、前記収容部と前記口金の外部とを連通させるように開口された充填口をさらに有する、請求項１または２に記載のヒータ。
【請求項４】
内部に発熱体が設けられた発光管の外周面に多層膜を形成する多層膜形成工程と；
前記発熱体と金属箔、前記金属箔とリード線、および前記リード線と外部導入線の接続部をそれぞれ電気的に接続させる接続工程と；
前記リード線を前記発光管の外部へ引き出すように前記金属箔および前記リード線の一部を埋設し、前記発光管の内部を封止して封止部を形成する封止工程と；
前記封止部から引き出された前記リード線および前記外部導入線を被覆チューブで被覆する被覆工程と；
前記封止部を口金の開口部に挿入する挿入工程と；
前記封止部を前記口金の収容部に収容する収容工程と；
前記収容部内から前記口金の貫通穴の外部へ前記外部導入線を挿通させる挿通工程と；
前記口金の前記開口部を塞ぐように前記封止部と前記収容部との間および前記外部導入線と前記貫通穴との間に、アルコール系非水溶媒と、８５質量％以上のアルミナを含有する基材とを含む充填材料を充填する充填工程と；
充填された前記充填材料から前記アルコール系非水溶媒を除去する乾燥工程と；
を有する、ヒータの製造方法。
【発明の詳細な説明】
【技術分野】
【０００１】
本発明の実施形態は、ヒータおよびヒータの製造方法に関する。
【背景技術】
【０００２】
輻射熱により被照射体を加熱する目的で使用されるヒータが知られている。ヒータは、空間暖房や塗装乾燥などの用途では防眩性が求められるため、発光管の外表面に可視光遮断効果の高い多層膜が形成される。多層膜は、赤外線を透過させ、可視光を遮断させるために、高屈折率膜と低屈折率膜とを交互に積層したものからなる。
【先行技術文献】
【特許文献】
【０００３】
【特許文献１】特開２００５−０１９３１７号公報
【発明の概要】
【発明が解決しようとする課題】
【０００４】
上記のようなヒータにおいては、用途に応じた防水性が要求される場合がある。ヒータに防水性が要求される場合、例えば発光管の端部を収容する口金に充填剤を充填し、リード線などの導電部を被覆することで絶縁性能を向上させ、所定の規格に準拠した防水性を付与する対策が取られている。
【０００５】
充填剤は、例えば水や有機溶媒などの溶媒とアルミナなどの絶縁性の基材とを含み、適度な流動性が付与された充填材料を乾燥または光照射等により硬化させることで形成される。このとき、溶媒の大半は揮発して除去されるが、充填材料が溶媒として水を含む場合、充填剤にわずかに残存する水の影響により、防水性の低下を招くおそれがある。
【０００６】
また、基材の選択によっては、ヒータ使用時の熱の影響により、充填剤からシロキサン等の気体が発生することがある。このように発生した気体が多層膜の表面に付着すると、多層膜を劣化させ、防眩性能の低下を招くおそれがある。
【０００７】
本発明が解決しようとする課題は、防水性を保ちつつ多層膜の劣化を抑制することができるヒータおよびヒータの製造方法を提供することである。
【課題を解決するための手段】
【０００８】
実施形態のヒータは、発光管と、多層膜と、金属箔と、リード線と、外部導入線と、封止部と、被覆チューブと、口金と、充填剤とを具備する。発光管は、内部に発熱体が設けられる。多層膜は、発光管の外周面に形成される。金属箔は、発熱体と電気的に接続される。リード線は、金属箔と電気的に接続される。外部導入線は、リード線と電気的に接続された接続部を有する。封止部は、金属箔およびリード線の一部が埋設され、発光管の内部を封止するように発光管に形成される。また、封止部は、リード線が発光管の外部へ引き出される導出部を有する。被覆チューブは、導出部から引き出されたリード線および外部導入線を被覆する。口金は、封止部が挿入される開口部と、封止部を収容する収容部と、収容部内から外部へ外部導入線を挿通させる貫通穴と、を有する。充填剤は、口金の開口部および貫通穴を塞ぐように封止部と収容部との間および外部導入線と貫通穴との間に充填される。また、充填剤は、８５質量％以上のアルミナを含有する。
【発明の効果】
【０００９】
本発明によれば、防水性を保ちつつ多層膜の劣化を抑制することができる。
【図面の簡単な説明】
【００１０】
【図１】実施形態１に係るヒータを示す平面図である。
【図２】実施形態１に係るヒータを示す図１のＡ−Ａ断面図である。
【図３】実施形態２に係るヒータを示す断面図である。
【図４】実施形態３に係るヒータを示す平面図である。
【図５】実施形態３に係るヒータを示す図４のＢ−Ｂ断面図である。
【発明を実施するための形態】
【００１１】
以下に説明する実施形態に係るヒータは、発光管と、多層膜と、金属箔と、リード線と、外部導入線と、封止部と、被覆チューブと、口金と、充填剤とを具備する。発光管は、内部に発熱体が設けられる。多層膜は、発光管の外周面に形成される。金属箔は、発熱体と電気的に接続される。リード線は、金属箔と電気的に接続される。外部導入線は、リード線と電気的に接続された接続部を有する。封止部は、金属箔およびリード線の一部が埋設され、発光管の内部を封止するように発光管に形成される。また、封止部は、リード線が発光管の外部へ引き出される導出部を有する。被覆チューブは、導出部から引き出されたリード線および外部導入線を被覆する。口金は、封止部が挿入される開口部と、封止部を収容する収容部と、収容部内から外部へ外部導入線を挿通させる貫通穴と、を有する。充填剤は、口金の開口部および貫通穴を塞ぐように封止部と収容部との間および外部導入線と貫通穴との間に充填される。また、充填剤は、８５質量％以上のアルミナを含有する。
【００１２】
また、以下に説明する実施形態に係るヒータは、外部導入線と被覆チューブとの間に設けられた環状部材をさらに具備する。
【００１３】
また、以下に説明する実施形態に係る口金は、収容部と口金の外部とを連通させるように開口された充填口をさらに有する。
【００１４】
以下に、本発明に係る実施形態を図面に基づき説明する。なお、以下に示す各実施形態は、本発明が開示する技術を限定するものではない。また、以下に示す各実施形態及び各変形例は、矛盾しない範囲で適宜組合せることができる。また、各実施形態の説明において、同一構成には同一符号を付与して後出の説明を適宜省略する。
【００１５】
［実施形態１］
図１は、実施形態１に係るヒータを示す平面図である。図１に示すように、実施形態１に係るヒータ１は、発光管２、多層膜３、第１口金４、第２口金５、第１被覆チューブ６、第２被覆チューブ７、第１外部導入線８、第２外部導入線９、発熱体１０を有する。
【００１６】
なお、説明を分かりやすくするために、図１には、鉛直上向きを正方向とし、鉛直下向きを負方向とするＺ軸を含む３次元の直交座標系を図示している。かかる直交座標系は、後出の説明に用いる他の図面でも示している。
【００１７】
発光管２は、透明でかつ無着色である材料から形成され、筒状に形成されている。発光管２の材料としては、例えば高軟化点の石英ガラスが例示される。
【００１８】
多層膜３は、発光管２の外周面に形成される。多層膜３は、低屈折率膜と、高屈折率膜とを複数層具備している。低屈折率膜は酸化ケイ素を主成分とし、高屈折率膜は酸化鉄を主成分とする。多層膜３は、発光管２から放射される光のうち、赤外線を透過し、可視光を遮断する。
【００１９】
多層膜３は、ディップ法、真空蒸着法、スパッタ法などで形成され、低屈折率膜と高屈折率膜とが１０層程度、交互に積層されている。具体的には、例えば発光管２の表面に直接形成される第１層から始まる奇数層を低屈折率膜で形成し、第２層から始まる偶数層を高屈折率膜で形成する。低屈折率膜の主成分である酸化ケイ素、具体的には二酸化ケイ素（ＳｉＯ２）は発光管２の成分に近いため、第１層とすることで、発光管２の表面への付着力を向上させることが可能となる。また、二酸化ケイ素は化学的および熱的な耐性に優れ、機械的強度を有しているため、高温となる発光管２の表面に直接形成されても剥離や損傷を起こす可能性が低い。なお、奇数層を高屈折率膜で形成し、偶数層を低屈折率膜で形成することも可能である。また、多層膜３において発光管２から最も遠い最上層を高屈折率膜としてもよく、また、低屈折率膜としてもよい。
【００２０】
高屈折率膜の主成分である酸化鉄は、酸化ケイ素に比べて防眩性が高い。このため、高屈折率膜に酸化鉄を用いることで、ヒータ１の防眩性を向上させることができる。ただし、酸化鉄は、酸化ケイ素に比べると発光管２の成分と異なることから、低屈折率膜を介して発光管２の外側に設けられることが望ましい。
【００２１】
なお、低屈折率膜は、二酸化ケイ素に限られず、酸化ケイ素（ＳｉＯ）などのケイ素酸化物であればどのような形態であってもよい。また、低屈折率膜は、酸化ケイ素に限らず、フッ化マグネシウム（ＭｇＦ２）等のケイ素酸化物以外の他の金属化合物を用いることにしてもよい。また、高屈折率膜は、例えば、酸化鉄（ＦｅＯ、Ｆｅ２Ｏ３、Ｆｅ３Ｏ４等）に限られず、酸化チタン（ＴｉＯ２）、酸化ニオブ（Ｎｂ２Ｏ５）、酸化タンタル（Ｔａ２Ｏ５）など、酸化鉄以外の金属酸化物を用いることにしてもよい。
【００２２】
また、多層膜３の各層の膜厚は、全て異なる厚みであってもよいし、あるいは、低屈折率膜ごと、高屈折率膜ごとにそれぞれ同じ厚みであってもよい。また、低屈折率膜の膜厚は、高屈折率膜の膜厚よりも厚く形成してもよい。具体的には、例えば、低屈折率膜の膜厚は、８０ｎｍであり、高屈折率膜の膜厚は、５７ｎｍであるが、これに限定されるものではない。
【００２３】
発熱体１０は、発光管２の内部に配置され、図示されていない不活性ガス及びハロゲン化物とともに封入されている。発熱体１０は、図示されていないアンカー材に支持されている。発熱体１０の一端は、第１口金４の内部に収容されている、図１では図示されていない封止部まで伸びて形成され、第１外部導入線８と電気的に接続される。一方、発熱体１０の他端は、第２口金５の内部に設けられている、図示されていない封止部まで伸びて形成され、第２外部導入線９と電気的に接続されている。
【００２４】
発熱体１０は、コイル状に形成されたタングステン製のフィラメントである。発熱体１０は、第１外部導入線８と第２外部導入線９とを介して、図示されていない電源から電圧が印加されることにより、発熱し、発光する。なお、封止部については図２を用いて後述する。
【００２５】
第１外部導入線８および第２外部導入線９は、例えばＰＴＦＥ（polytetrafluoroethylene）その他のフッ素樹脂製の被覆層で芯線を被覆した耐熱性の電線である。
【００２６】
第１外部導入線８は、第１被覆チューブ６で被覆されている。第１被覆チューブ６は、第１口金４の内部における第１外部導入線８の絶縁性を向上させる。同様に、第２外部導入線９は、第２被覆チューブ７で被覆されている。第２被覆チューブ７は、第２口金５の内部における第２外部導入線９の絶縁性を向上させる。
【００２７】
第１口金４および第２口金５は、発光管２を支持し、固定するための部材である。具体的には、第１口金４および第２口金５は、発光管２の両端に設けられた封止部を収容し、封止部が固定されている。
【００２８】
ここで、第１口金４および第２口金５の内部構成について、図２を参照して更に詳しく説明する。図２は、実施形態１に係るヒータ１を示す図１のＡ−Ａ断面図である。図２は、第１口金４およびその近傍を断面視したものに相当する。なお、第２口金５およびその近傍の構成については、図２に示す第１口金４およびその近傍の構成と同様である。このため、第２口金５に関する図示および説明は省略する。
【００２９】
図２に示すように、第１口金４には、発光管２の内部を封止するように発光管２に形成された封止部２ａが収容されている。また、封止部２ａの内部には、金属箔１２が埋設されている。本実施形態１における封止部２ａは、板状に形成された、いわゆるピンチシール部である。
【００３０】
金属箔１２は、モリブデンによって矩形状に形成されている。金属箔１２は、発熱体１０の一端１３と電気的に接続されている。また、金属箔１２は、リード線２０と電気的に接続されている。さらにリード線２０は、例えば溶接により第１外部導入線８の接続部２１と電気的に接続されている。すなわち、発熱体１０および第１外部導入線８は、金属箔１２、リード線２０および接続部２１を介して電気的に接続される。接続部２１は、例えば芯線８ｂと、芯線８ｂを覆う被覆層８ａとを有する第１外部導入線８の端部から、被覆層８ａが除去されて露出する芯線８ｂを覆うように設けられたスプライス端子である。ただし、接続部２１は、スプライス端子に限られず、例えばリード線２０と接続されるはんだであってもよい。
【００３１】
また、封止部２ａは、金属箔１２に接続されたリード線２０を、発光管２の外部へ引き出すための開口である導出部１１を有する。
【００３２】
また、導出部１１から引き出されたリード線２０および第１外部導入線８は、第１被覆チューブ６で被覆されている。第１被覆チューブ６は、例えば、熱収縮性を有するシリコーンゴムによって形成された筒状の部材である。リード線２０および第１外部導入線８を第１被覆チューブ６で被覆することにより、第１外部導入線８の表面を伝った外部からリード線２０に向かう水の侵入が抑制される。
【００３３】
また、第１被覆チューブ６の一端は、導出部１１を囲むように封止部２ａに接している。このように、導出部１１から引き出されたリード線２０および第１外部導入線８の接続部２１を第１被覆チューブ６で覆うことにより、リード線２０および接続部２１の絶縁性を確保することが容易になる。
【００３４】
第１口金４は、開口部１４と、収容部１５と、貫通穴１６とを有する。開口部１４は、第１口金４の発光管２側、すなわちＸ軸負方向側の端部に設けられる。開口部１４は、封止部２ａが挿入されるよう封止部２ａのＹＺ平面方向の寸法よりも幅広に開口されている。収容部１５は、開口部１４に連通しており、封止部２ａを収容するために設けられた空間を有している。
【００３５】
また、貫通穴１６は、第１口金４の発光管２とは反対側、すなわちＸ軸正方向側の端部に設けられる。貫通穴１６は、収容部１５に連通しており、第１外部導入線８を被覆した第１被覆チューブ６が挿通できる寸法に開口されている。封止部２ａが開口部１４を介して第１口金４の内部に適切に固定されると、収容部１５には封止部２ａが収容され、貫通穴１６には収容部１５内から外部へ第１外部導入線８が挿通される。
【００３６】
また、第１口金４には、開口部１４を塞ぐように充填剤１９が充填されている。具体的には、充填剤１９は、封止部２ａと収容部１５との間に充填されている。充填剤１９が開口部１４を塞ぐように充填されることにより、外部から第１口金４の内部へ向かう開口部１４を介した水の侵入が抑制され、第１被覆チューブ６で被覆したリード線２０および接続部２１の絶縁性を適正に確保することができる。なお、封止部２ａの一部は、充填剤１９を介さずに収容部１５と接していてもよい。
【００３７】
また、充填剤１９は、第１口金４の貫通穴１６を塞ぐように外部導入線８と貫通穴１６との間、より詳細には外部導入線８を覆う第１被覆チューブ６と貫通穴１６との間に充填されている。充填剤１９が貫通穴１６を塞ぐように充填されることにより、外部から第１口金４の内部へ向かう貫通穴１６を介した水の侵入が抑制され、第１被覆チューブ６で被覆したリード線２０および接続部２１の絶縁性を適正に確保することができる。なお、外部導入線８または第１被覆チューブ６の一部は、充填剤１９を介さずに貫通穴１６と接していてもよい。
【００３８】
充填剤１９は、アルコール系非水溶媒と、８５質量％以上のアルミナを含有する絶縁性の基材とを含む充填材料を第１口金４の内部に充填後、加熱等により充填された充填材料からアルコール系非水溶媒が揮発し、除去されることで得られる。
【００３９】
充填材料の基材、すなわち充填剤１９は、８５質量％以上、例えば８５質量％以上９５質量％以下のアルミナを含有する絶縁性のアルミナセメントである。このように８５質量％以上のアルミナが配合された充填剤１９を使用して開口部１４および貫通穴１６を塞ぐことにより、絶縁性が向上する。また、充填剤１９は吸湿されにくいアルミナを８５質量％以上含有することで、防水性も担保される。
【００４０】
また、アルコール系非水溶媒は、例えば、メタノールや３−メチル−３−メトキシブタノールなどが挙げられるが、これに限らず、水を含有せず、また基材を均一に分散させて適度な流動性を付与するものであればよい。アルコール系非水溶媒を含有する充填材料を第１口金４の内部に充填すると、得られた充填剤１９にアルコール系非水溶媒が残存した場合であっても充填剤１９には水分が含まれないため、実施形態１に係るヒータ１の防水性には影響しない。なお、基材に対するアルコール系非水溶媒の配合割合は、充填材料に要求される流動性に応じて任意に設定することができる。
【００４１】
このように、８５質量％以上のアルミナを含有する基材と、アルコール系非水溶媒とを有する充填材料は、アルミナが多く、また溶媒として水ではなくアルコールを含む等の複合的な作用により、流動性が向上し、充填しやすくなる。
【００４２】
なお、充填材料の基材、すなわち充填剤１９は、シロキサン等の気体の発生源となる成分を含有してもよい。例えば、充填剤１９は、１５質量％以下、例えば５質量％以上１０質量％以下のオルガノシロキサンを含有してもよい。なお、充填剤１９に適度に含まれるオルガノシロキサンは、アルコール系非水溶媒と協働して充填材料の流動性に寄与する。
【００４３】
また、図２に示した例では、充填剤１９は第１口金４の内部の空間をすべて満たすように充填されるが、これに限られず、第１口金４の内部に充填剤１９が充填されていない空隙を有するようにしてもよい。ただし、充填剤１９がシロキサン等の気体の発生源となる成分を含有する場合には、充填剤１９から発生し、第１口金４の内部に滞留したシロキサン等の気体が外部に一斉に放出されて発光管２の表面に形成された多層膜３に到達し、多層膜３が劣化する不具合を抑制するため、第１口金４の内部は充填剤１９で隙間なく満たされることが好ましい。
【００４４】
上述したように、実施形態１に係るヒータ１は、発光管２と、多層膜３と、金属箔１２と、リード線２０と、外部導入線８、９と、封止部２ａと、被覆チューブ６、７と、口金４、５、と、充填剤１９とを具備する。発光管２は、内部に発熱体１０が設けられる。多層膜３は、発光管２の外周面に形成される。金属箔１２は、発熱体１０と電気的に接続される。リード線２０は、金属箔１２と電気的に接続される。外部導入線８、９は、リード線２０と電気的に接続された接続部２１を有する。封止部２ａは、金属箔１２およびリード線２０の一部が埋設され、発光管２の内部を封止するように発光管２に形成される。また、封止部２ａは、リード線２０が発光管２の外部へ引き出される導出部１１を有する。被覆チューブ６、７は、導出部１１から引き出されたリード線２０および外部導入線８、９を被覆する。口金４、５は、封止部２ａが挿入される開口部１４と、封止部２ａを収容する収容部１５と、収容部１５内から外部へ外部導入線８、９を挿通させる貫通穴１６と、を有する。充填剤１９は、口金４、５の開口部１４および貫通穴１６を塞ぐように封止部２ａと収容部１５との間および外部導入線８、９と貫通穴１６との間に充填される。また、充填剤１９は、８５質量％以上のアルミナを含有する。これにより、実施形態１に係るヒータ１によれば、防水性を保ちつつ、シロキサン等の気体の発生に伴う多層膜３の劣化を抑制することができる。
【００４５】
（ヒータの製造方法）
以上のように構成されたヒータ１の製造方法について説明する。ヒータ１の製造方法は、多層膜形成工程と、接続工程と、封止工程と、被覆工程と、挿入工程と、収容工程と、挿通工程と、充填工程と、乾燥工程とを有する。多層膜形成工程では、内部に発熱体が設けられた発光管の外周面に多層膜を形成する。接続工程では、発熱体と金属箔、金属箔とリード線、およびリード線と外部導入線の接続部をそれぞれ電気的に接続させる。封止工程では、リード線を発光管の外部へ引き出すように金属箔およびリード線の一部を埋設し、発光管の内部を封止して封止部を形成する。被覆工程では、封止部から引き出されたリード線および外部導入線を被覆チューブで被覆する。挿入工程では、封止部を口金の開口部に挿入する。収容工程では、封止部を口金の収容部に収容する。挿通工程では、収容部内から口金の貫通穴の外部へ外部導入線を挿通させる。充填工程では、口金の開口部を塞ぐように封止部と収容部との間および外部導入線と貫通穴との間に、アルコール系非水溶媒と、８５質量％以上のアルミナを含有する基材とを含む充填材料を充填する。乾燥工程では、充填された充填材料からアルコール系非水溶媒を除去するために乾燥を行う。このように製造されたヒータ１によれば、防水性を保ちつつ、シロキサン等の気体の発生に伴う多層膜３の劣化を抑制することができる。なお、ヒータ１の製造方法は、上記工程の順に限定されない。例えば、多層膜形成工程と接続工程とが入れ替わってもよい。
【００４６】
［実施形態２］
図３は、実施形態２に係るヒータを示す断面図である。実施形態２に係るヒータ１は、図２に示した実施形態１に係るヒータ１と比較して、環状部材２２をさらに備える点が異なる。すなわち、ヒータ１は、第１外部導入線８と第１被覆チューブ６との間に環状部材２２を有する。なお、図３において、実施形態１に係るヒータ１と同一部分には、同一符号を付する。
【００４７】
環状部材２２は、例えば遮水性を有するシリコーンゴム製のＯリングである。第１外部導入線８と第１被覆チューブ６との間に環状部材２２を配置することにより、第１外部導入線８と第１被覆チューブ６との間からの水の侵入がさらに抑えられる。特に、ヒータ１を図示しない灯具に設置する際、第１外部導入線８を例えば１８０°折り曲げる場合であっても、環状部材２２が第１外部導入線８に設置されることで、環状部材２２と第１外部導入線８との接触を確実にすることができるため、防水性を確保する上で好適である。
【００４８】
このように、実施形態２に係るヒータ１は、外部導入線８、９と被覆チューブ６、７との間に設けられた環状部材２２をさらに具備する。これにより、防水性をさらに高めることができる。
【００４９】
［実施形態３］
図４は、実施形態３に係るヒータ１Ａを示す平面図であり、図５は、実施形態３に係るヒータ１Ａを示す図４のＢ−Ｂ断面図である。実施形態３に係るヒータ１Ａは、実施形態１に係るヒータ１が有する第１口金４および第２口金５に代えて、第１口金４Ａおよび第２口金５Ａを有する点が異なる。なお、図４、５において、実施形態１に係るヒータ１と同一部分には、同一符号を付する。
【００５０】
図４に示すように、第１口金４Ａは、第１充填口１７を有する。同様に、第２口金５Ａは、第２充填口１８を有する。なお、第２口金５Ａおよびその近傍の構成については、図５に示す第１口金４Ａおよびその近傍の構成と同様である。このため、図５において、第２口金５Ａに関する図示および説明は省略する。
【００５１】
図５に示すように、第１充填口１７は、収容部１５と第１口金４Ａの外部とを連通させるように形成されている。第１充填口１７は、充填剤１９を第１口金４Ａの内部に充填するために利用される。充填剤１９は、収容部１５に封止部２ａが収容された後で充填されることとなるため、開口部１４と封止部２ａとの間にはわずかな隙間しか残されておらず、開口部１４からの充填剤１９の充填は困難である。そこで、専ら充填剤１９の充填に用いられる第１充填口１７を開口部１４とは別途設けることにより、充填剤１９の充填作業を円滑に実施することができる。
【００５２】
また、第１充填口１７は、Ｚ軸方向から見て封止部２ａと連通するように設けられており、板状の封止部２ａのＹ軸方向（厚み方向）における側面が、第１充填口１７と重なって配置されている。このように封止部２ａが配置された第１充填口１７から充填された充填剤１９は、封止部２ａを挟んで両方向に分配されながら収容部１５の全体に行き渡るように充填される。このため、第１口金４Ａが第１充填口１７を有することにより、充填剤１９の充填作業を円滑に実施することができる。ここで、第１充填口１７のＹ軸方向の幅は、封止部２ａのＹ軸方向の厚みよりも広いことが作業上好ましいが、これに限られず、例えば第１充填口１７のＹ軸方向の幅が封止部２ａのＹ軸方向の厚み以下であってもよい。
【００５３】
また、図５に示した例では、第１充填口１７は、開口部１４と一体化するように設けられているが、これに限られず、例えば第１充填口１７が接続部２１の直上に位置するように設けられてもよい。また、図５に示した例では、第１充填口１７は、第１口金４ＡのＺ軸正方向側に設けられているが、これに限られず、例えば第１口金４ＡのＹ軸正方向側または負方向側に設けられてもよい。
【００５４】
このように、実施形態３に係る口金４Ａ、５Ａは、収容部１５と口金４Ａ、５Ａの外部とを連通させるように開口された充填口１７、１８をさらに有する。これにより、収容部１５内に封止部２ａが収容された状態で収容部１５内への充填剤１９の適切な充填が容易となり、防水性を保ちつつ多層膜３の劣化を抑制することができる。
【００５５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５６】
１、１Ａ  ヒータ
２  発光管
２ａ  封止部
３  多層膜
４、４Ａ  第１口金
５、５Ａ  第２口金
６  第１被覆チューブ
７  第２被覆チューブ
８  第１外部導入線
８ａ  被覆層
８ｂ  芯線
９  第２外部導入線
１０  発熱体
１１  導出部
１２  金属箔
１４  開口部
１５  収容部
１６  貫通穴
１７  第１充填口
１８  第２充填口
１９  充填剤
２０  リード線
２１  接続部
２２  環状部材
【図１】
2019057456.tif 000003
【図２】
2019057456.tif 000004
【図３】
2019057456.tif 000005
【図４】
2019057456.tif 000006
【図５】
2019057456.tif 000007